(57)【特許請求の範囲】
【請求項１】
電源スイッチ、タイマー運転開始スイッチやモード切替スイッチ等の各種スイッチを有し各種設定を行う設定手段と、この設定手段で設定された動作モードで燃焼装置の燃焼量及び表示装置の表示状態を制御する制御手段とを備えた温風暖房機において、前記切替スイッチは、設定温度と検出室温との偏差に基づき燃焼量を自動的に調整し室温を設定温度に維持する自動モードを指示する一方、自動モード表示部に自動モードである旨及び設定温度を表示させる自動スイッチと、設定燃焼量で連続運転する連続モードを指示する一方、連続モード表示部に連続モードである旨及び設定燃焼量を表示させる連続スイッチとを備え、前記制御手段は、最初の電源投入時は自動モードを優先し、次の電源投入時は切替スイッチの設定を優先させることを特徴とする温風暖房機。
【請求項２】
前記制御手段は、タイマー運転開始スイッチの操作に伴うタイマー運転開始時には自動モードで運転を開始させることを特徴とする請求項１に記載の温風暖房機。
【請求項３】
前記制御手段は、通常運転中にのみ切替スイッチによるモード変更を行うことを特徴とする請求項１に記載の温風暖房機。
【請求項４】
前記タイマー運転を開始させる時刻を表示するタイマー時刻表示部をアナログ式の表示としたときには、前記連続モード表示部及び自動モード表示部を帯グラフ式の表示とすることを特徴とする請求項１に記載の温風暖房機。
【請求項５】
前記タイマー運転を開始させる時刻を表示するタイマー時刻表示部をデジタル式の表示としたときには、前記連続モード表示部及び自動モード表示部を矩形状の表示とすることを特徴とする請求項１に記載の温風暖房機。
【発明の詳細な説明】
【０００１】
【発明の属する技術分野】
本発明は、燃焼装置の燃焼量を適宜修正変更して室内暖房及び室温を維持する石油若しくはガスの温風暖房機の改良に関する。
【０００２】
【従来の技術】
従来この種の温風暖房機等の燃焼器を制御する制御装置には、例えば特公平７−１８５４５号公報で開示されているように、運転操作部またはタイマー操作部の操作に基づく燃焼運転では自動モードが優先して選択されるようになっており、燃焼運転は必ず自動モードから行われるようにしたものがある。しかも操作部内若しくは操作部近傍にはどの運転モードであるかを示す表示部が設けられており、使用者は操作に応じて変化する表示内容でもって運転モードを認識できるようになっている。
【０００３】
【発明が解決しようとする課題】
しかしながら、運転スイッチの投入時には常に自動モードから運転されるということは、前回使用者が設定した動作モードは次回の運転開始時に再度設定し直さなければならず、使用者は毎回動作モードを選択設定しなければならないため、使用者の負担が大きく使用性の面で煩わしさが目に付く。しかも、自動モードである旨を表示する表示部と設定温度を表示する温度表示部とが離れているため、数字表示そのものが何を意味するものか即座に判断しにくかったり、手動モードと自動モードを含む運転モードの表示部がそれぞれ別個にかつ温度表示部とは無関係に配置されているため、操作部におけるキー配置及び表示部の配置がいかにも煩雑で無秩序なものになっており、使い勝手の面でやはり劣っていた。
【０００４】
そこで本発明では、操作部と表示部の配置を適宜整え且つ制御手段によるモード切替に自由度を持たせることにより、操作部の操作性向上及び見やすい表示部を有する温風暖房機を提供することを目的とするものである。
【０００５】
【課題を解決するための手段】
本発明の請求項１の発明は、電源スイッチ、タイマー運転開始スイッチやモード切替スイッチ等の各種スイッチを有し各種設定を行う設定手段と、この設定手段で設定された動作モードで燃焼装置の燃焼量及び表示装置の表示状態を制御する制御手段とを備えた温風暖房機において、前記切替スイッチは、設定温度と検出室温との偏差に基づき燃焼量を自動的に調整し室温を設定温度に維持する自動モードを指示する一方、自動モード表示部に自動モードである旨及び設定温度を表示させる自動スイッチと、設定燃焼量で連続運転する連続モードを指示する一方、連続モード表示部に連続モードである旨及び設定燃焼量を表示させる連続スイッチとを備え、前記制御手段は、最初の電源投入時は自動モードを優先し、次の電源投入時は切替スイッチの設定を優先させるようにしたものである。
【０００６】
本発明の請求項２の発明は、請求項１に記載の温風暖房機機において、前記制御手段は、タイマー運転開始スイッチの操作に伴うタイマー運転開始時には自動モードで運転を開始させるようにしたものである。
【０００７】
本発明の請求項３の発明は、請求項１に記載の温風暖房機機において、前記制御手段は、通常運転中にのみ切替スイッチによるモード変更を行うようにしたものである。
【０００８】
本発明の請求項４の発明は、請求項１に記載の温風暖房機機において、前記タイマー運転を開始させる時刻を表示するタイマー時刻表示部をアナログ式の表示としたときには、前記連続モード表示部及び自動モード表示部を帯グラフ式の表示としたものである。
【０００９】
本発明の請求項５の発明は、請求項１に記載の温風暖房機機において、前記タイマー運転を開始させる時刻を表示するタイマー時刻表示部をデジタル式の表示としたときには、前記連続モード表示部及び自動モード表示部を矩形状の表示としたものである。
【００１０】
【発明の実施の形態】
次に実施例により本発明を更に詳しく説明するが、本発明はこれらによって限定されるものではない。以下、本発明の実施例を図１乃至図９に基づいて説明する。図１は本発明の一実施例を示す石油ファンヒータの全体構成を示す外観斜視図、図２は操作パネルの一実施例を示す平面図、図３は操作パネルの他の実施例を示す平面図、図４は運転モード変更の概略を示す主要なフローチャート、図５は図４のその他の処理に入りタイマー処理時のモード変更の概略を示すフローチャート、図６は図４のその他の処理に入り燃焼モード変更の概略を示すフローチャート、図７（ａ）乃至（ｅ）は図２に示す操作パネルにおける設定状態の複数の具体例を示す表示部の説明図、図８（ａ）乃至（ｅ）は図３に示す操作パネルにおける設定状態の複数の具体例を示す表示部の説明図、図９は本発明の制御部の概略を示すブロック回路図である。
【００１１】
図１において、１は石油ファンヒータにて代表される本発明の温風暖房機（以下単にファンヒータという）であって、２は温風の吹出口、３は図示しない石油燃料補給用のカートリッジタンクを出し入れするための蓋、４はファンヒータ内に配置される図示しない燃焼装置や後述する表示部を動作させるためのスイッチ類を配置した操作部としての操作パネルである。尚、ここでいう燃焼装置とは、燃焼タンクから燃焼部に燃料を供給する電磁ポンプを含む燃料供給手段Ｄ、燃焼用空気取入口から取り込んだ空気を燃焼部に供給する燃焼用送風機、ファンヒータ背面の吸気口から取り込んだ外気（空気）を前面の吹出口２と燃焼部に供給する温風用送風機及び燃焼部に配置される点火プラグＣやバーナ、バーナモータＥ等で構成されるものである。尚、ファンヒータ１の背面下部には後述する操作パネル４の真下に配置した操作基板及び制御基板上の制御装置にそれぞれ電源を供給するための電源コードが設けてあり、電源コードのプラグをコンセントに差し込めば操作基板及び制御基板上の制御装置にそれぞれ電源が供給されるようになっており、プラグをコンセントに差し込む操作のことを以下電源投入という。
【００１２】
次に操作パネル４の好ましい２つの実施形態について、図２及び図３に基づきそれぞれ簡単に説明する。
【００１３】
（Ｉ）第１の実施形態
図２において、４Ａは操作パネル、１１は運転の開始及び燃焼時間の延長を指示する運転入スイッチ、１２は運転の停止を指示する運転切スイッチ、１３は希望する時刻にファンヒータ１の運転を開始させるタイマー運転の開始を指示するタイマー運転開始スイッチ、１４は運転開始時の点火時間を短くするためにバーナを予熱して待機させる秒速点火動作（運転）を指示する秒速点火スイッチ、１５は燃焼モードを設定する燃焼モード設定部、１６はタイマー運転モードを設定するタイマーモード設定部、１７は各種スイッチによって使用者が適宜設定した設定（操作）状態を保持するために各種スイッチ（運転入スイッチ（詳しくは時間延長）と運転切りスイッチを除く）の操作を無効にする安全スイッチとしてのチャイルドロックスイッチ、１８は燃焼用空気取入口にセットされる燃焼空気用フィルターを掃除したときに操作してフィルターの清掃を終了したことを後述する制御手段Ａに認識させるフィルタースイッチである。
【００１４】
燃焼モード設定部１５には、右側に燃焼モードを切り替えるための切替スイッチとして、設定温度と検出室温との偏差に基づき燃焼量を自動的に調整し室温を設定温度に維持する自動モードを指示する一方、後述する自動モード表示部２８に自動モードである旨及び設定温度を表示させる自動スイッチ１９と、設定燃焼量で連続運転する連続モードを指示する一方、後述する連続モード表示部２９に連続モードである旨及び設定燃焼量を表示させる連続スイッチ２０とを備えた切替操作手段（即ち切替スイッチ）２１が、左側には運転モードを表示するモード表示部や現在時刻を表示するデジタル式の時刻表示部、並びに、換気催促、給油催促、チャイルドロック中及び高地対応等の運転状態を表示する状態表示部を備えた運転モード表示手段２２がそれぞれ配置されている。
【００１５】
ここでいう運転モードとは、自動モードと連続モードを合わせたものであり、運転モード表示手段２２は、下側に位置させた自動スイッチ１９に合わせて自動スイッチ１９の左側且つ表示手段２２の下側に自動モードである旨及び設定温度を表示する自動モード表示部２８を配置し、上側に位置させた連続スイッチ２０に合わせて連続スイッチ２０の左側且つ表示手段２２の上側に連続モードである旨及び設定燃焼量を表示する連続モード表示部２９を配置している。
【００１６】
タイマーモード設定部１６には、右側に時刻を進めるアップスイッチ２３と時刻を戻すダウンスイッチ２４とを備えた時刻設定手段２５が、左側にタイマー運転開始時刻を表示するアナログ式のタイマー時刻表示手段２６がそれぞれ配置されている。
【００１７】
両表示手段２２及び２６は、液晶タイプのものを採用しており、タイマー運転を開始させる時刻を表示するタイマー時刻表示手段２６を長針と短針を有する円を基本形状としたアナログ式の表示部としたので、この形状に合わせて、連続モード表示部２９及び自動モード表示部２８からなる運転モード表示手段２２を円を基本形状とした帯グラフ式の表示部としている。
【００１８】
ここでタイマー時刻表示手段２６の形状に合わせて運転モード表示手段２２の形状を円を基本形状とした帯グラフ式の表示に決めたので、表示部における表示が丸形（円）に統一され、各種スイッチの操作に伴うタイマー運転開始時刻及び設定温度若しくは設定燃焼量の変化を時計回り若しくは反時計回りに統一することができた。このため、使用者は切替スイッチ２１の操作によりあたかもダイヤルを操作してモードを設定しているかのように認識させることができるようになり、操作パネル４Ａにおける操作性が向上すると共に表示部の表示内容が見やすくなった。
【００１９】
本発明の制御部のブロック図である図９において、Ａは入力側に各種スイッチを接続し出力側に両表示手段２２、２６、点火プラグＣ、燃料供給手段Ｄ及び燃焼用空気送風機の一部であるバーナモータＥ等を接続した制御手段としてのマイクロコンピュータ（以下単にマイコンという）であり、ＢはこのマイコンＡに信号線で接続され随時書き込み可能な記憶手段としてのＥＥＰＲＯＭである。
【００２０】
（ＩＩ）第２の実施形態
第２の実施形態を示す図３において、第１の実施形態を示す図２と同じ機能を有するスイッチ類は全て同じ符号を使い、説明を省略する。図３において、４Ｂは操作パネル、３１は右側下部に切替操作手段２１が、右側上部に時刻設定手段２５が、左側に運転モード（即ち自動モード及び連続モード）を表示するモード表示部３４や現在時刻とタイマー運転開始時刻を表示するデジタル式の時刻表示部３７、換気催促、給油催促、秒速点火中、チャイルドロック中及び高地対応等の運転状態を表示する状態表示部を備えた運転モード表示手段３３がそれぞれ配置されたモード設定部である。
【００２１】
尚、切替操作手段２１と時刻設定手段２５を合わせてモード操作部３２という。またモード表示部３４は、下側に左から順に「自動」・「１８」・「２０」・「２２」・「２４」という文字を並べた矩形状の自動モード表示部３５が、上側に左から順に「連続」・「微弱」・「弱」・「中」・「強」という文字を並べた矩形状の連続モード表示部３６がそれぞれ配置されている
運転モード表示手段３３は液晶タイプのものを採用しており、時刻を表示する時刻表示部をデジタル式としたので、これに合わせて、運転モードを表示するモード表示部３４（即ち連続モード表示部３６及び自動モード表示部３５）をそれぞれ矩形状の表示形態としている。
【００２２】
ここで時刻表示部３７をデジタル式の表示とし、連続モード表示部３６及び自動モード表示部３５を矩形状の表示としたことにより、運転モード表示手段３３における表示を矩形状に統一でき、両表示を上下に配置したので、表示部の小型化及びコストダウンが図れた一方、表示部の表示内容が見やすくなり、安価且つ操作性及び表示の見やすい操作パネルを製作（提供）できた。
【００２３】
次に、これらの操作パネル４の操作部の操作に基づく運転動作及び表示状態の変化について、図４乃至図８を参照して簡単に説明する。
【００２４】
（ＩＩＩ）運転モード変更動作の説明（第１、第２の実施形態共通）
図４は制御手段における本発明特有の運転モードの変更動作の主要部分を示す概略のフローチャートであり、この図４において、ステップＳ１で電源コードのプラグがコンセントに差し込まむ操作、即ち電源が投入されると、ステップＳ２でこの電源投入が記憶手段のＥＥＰＲＯＭ（図９のＢ参照）に記憶されているか否かが判断され、記憶されていなければステップＳ３で運転入スイッチ（即ち電源スイッチであり以下運転スイッチという）１１がＯＮか否かが判断され、記憶されていればステップＳ７で電源スイッチ１１がＯＮか否かが判断される。
【００２５】
ステップＳ３で運転スイッチ１１がＯＦＦであればステップＳ９へ移行し、運転スイッチ１１がＯＮであればステップＳ４でＥＥＰＲＯＭＢに記憶されている運転モードが自動モードか連続モードかが判断され、記憶が連続モードであればその運転モードを継続すべくマイコンＡはステップＳ５で連続モードの運転をセットしてステップＳ９へ移行する。このとき、マイコンＡはＥＥＰＲＯＭＢに運転モードを連続モードとして記憶させる。
【００２６】
ステップＳ４においてＥＥＰＲＯＭに記憶された運転モードが自動モードであれば、ステップＳ６でその運転モードを継続すべくマイコンＡはステップＳ５で自動モードの運転をセットしてステップＳ９へ移行する。このとき、マイコンＡはＥＥＰＲＯＭＢに運転モードを自動モードとして記憶させる。
【００２７】
ステップＳ７で運転スイッチ１１がＯＦＦであればステップＳ９へ移行し、運転スイッチ１１がＯＮであればステップＳ８で運転モードを初期記憶値である自動モードにすべくマイコンＡはステップＳ５で自動モードの運転をセットしてステップＳ９へ移行する。このとき、マイコンＡはＥＥＰＲＯＭＢの運転モードの記憶を変化させない。但し、自動スイッチ１９の操作で設定温度を初期値「２０」から他の値に変更した場合には、この変更値を記憶させることはいうまでもない。
【００２８】
ステップＳ９では、通常の表示動作と運転動作、即ちメインルーチンの動作が行われる。このメインルーチンでは燃焼中であれば運転モードに応じた信号処理を行い燃焼を継続しつつ表示状態を制御し、燃焼中でなければプレパージ動作、点火動作、ポストパージ動作等の燃焼動作を行う基本処理を行いつつ表示状態を制御する。ここではこれらの処理をひっくるめてその他の処理と表現しておく。
【００２９】
タイマー処理時のモード変更の概略フローを示す図５において、基本的にはタイマー運転開始スイッチ１３、アップスイッチ２３及びダウンスイッチ２４を操作してタイマー運転モードを指示した場合にステップＳ１１以降のサブルーチン（ここではタイマー処理）に入るものであり、ステップＳ１１でこのタイマー処理に入ると、次のステップＳ１２でタイマー運転モードを指示したか否か（即ちタイマー運転開始スイッチが操作されたか否か）が判断される。
【００３０】
ステップＳ１２でタイマー運転モードが指示されなければこのサブルーチンを抜けてメインルーチンに戻り、タイマーモードが指示されればステップＳ１３でＥＥＰＲＯＭＢに記憶されている運転モードが自動モードか連続モードかが判断され、記憶が連続モードであればその運転モードを変更すべくマイコンＡはステップＳ１４で自動モードの運転をセットしてメインルーチンへ移行し、ＥＥＰＲＯＭに記憶された運転モードが自動モードであればそのままメインルーチンへ移行する。このとき、マイコンＡはＥＥＰＲＯＭＢに運転モードを自動モードとして記憶させる。
【００３１】
運転モード（ここでは燃焼モード）の途中変更の概略フローを示す図６において、基本的には切替スイッチ２１を操作して運転モードの変更を指示した場合にステップＳ２１以降のサブルーチン（ここでは燃焼モード変更の処理）に入るものであり、ステップＳ２１でこの燃焼モード変更の処理に入ると、次のステップＳ２２で通常運転中か否か（即ちＯＮ／ＯＦＦ運転を含む燃焼運転中か否か）が判断される。
【００３２】
ステップＳ２２で通常運転中でなければこのサブルーチンを抜けてメインルーチンに戻り、通常運転中であればステップＳ３３で燃焼モードの変更処理に入る。即ちこの変更処理では、図示しないがまずＥＥＰＲＯＭＢに記憶されている運転モードが自動モードか連続モードかが判断され、次に操作されたスイッチが自動スイッチ１９か連続スイッチ２０かが判断され、この２つより記憶の運転モードの変更が必要か否かを判断し、記憶の運転モードを異なる運転モードに変更する処理を行って、メインルーチンへ移行する。このとき、マイコンＡはＥＥＰＲＯＭＢの書き換えの外実際の燃焼モードを変更する。
【００３３】
（ＩＶ）表示状態変更動作の説明１（第１の実施形態対応）
図７の（ａ）乃至（ｅ）は図２の第１の実施形態である操作パネル４Ａにおけるタイマー時刻表示手段２６と運転モード表示手段２２の設定状態の具体例を示すものである。各図において表示手段だけをクローズアップして並べて示し、点灯部分を斜線で表している。
【００３４】
まず、（ａ）は電源コードのプラグを初めてコンセントに差し込んだ最初の電源投入時における両表示手段２２及び２６の表示の具体例を示すものである。ここでは、運転モード表示手段２２にはどこにも点灯部が無く、タイマー時刻表示手段２６に「午前６時１０分」が設定されている。
【００３５】
次に（ｂ）は切替スイッチ２１の内自動スイッチ１９を一度押した状態の具体例を示し、自動モード表示部２８の「自動」と「２０」が点灯している。即ち、自動モードの初期値は設定温度が「２０」度である。尚、タイマー時刻表示手段２６には「午前６時１５分」が設定された例を示した。
【００３６】
このとき更にもう一度自動スイッチ１９を押すと、（ｃ）に示すように運転モード表示手段２２の自動モード表示部２８の設定温度を示す部分の点灯表示が「２０」から「２２」に切り替わる。更に続けて自動スイッチ１９を押せば点灯表示が「２２」から「２４」に切り替わるものである。この設定温度は自動スイッチ１９を押す毎に順次反時計回り方向にずれ「２４」の次は「１８」に戻って同様の変化をするようにしてある。尚、タイマー時刻表示手段２６には「午前６時２０分」が設定された例を示した。
【００３７】
この後、連続スイッチ２０を一度だけ押すと、運転モード表示手段２２における自動モード表示部２８の点灯部が消え、連続モード表示部２９の「連続」と「微弱」が点灯する。即ち、連続モードの初期値は設定燃焼量が「微弱」である。尚、タイマー時刻表示手段２６には「午前６時２５分」が設定された例を示した。
【００３８】
そして更にもう一度連続スイッチ２０を押すと、（ｅ）に示すように連続モード表示部２９の「連続」と「弱」が点灯する。即ち、連続モード表示部２９の設定燃焼量を示す部分の点灯表示が「微弱」から「弱」に切り替わる。更に続けて連続スイッチ２０を押せば点灯表示が「弱」から「中」に切り替わるものである。この設定燃焼量は連続スイッチ２０を押す毎に、順次時計回り方向にずれ「強」の次は「微弱」に戻って同様の変化をするようにしてある。尚、タイマー時刻表示手段２６には「午前６時３０分」が設定された例を示した。
【００３９】
ここで、（ａ）乃至（ｄ）のタイマー時刻表示手段２６におけるタイマー運転開始時刻の「時」を示す短針は、長針が０から２９までは数字部分に位置し（ここでは６の数字）、長針が３０から５９までは次の（ｅ）に示すように数字と数字を示す点との丁度中間部分（ここでは６と６の左隣の点との間部分）に位置するようにしてある。また「分」を示す長針は５分刻みで変化するようにしてある。
【００４０】
（Ｖ）表示状態変更動作の説明２（第２の実施形態対応）
図８の（ａ）乃至（ｅ）は図３の第２の実施形態である操作パネル４Ｂにおける運転モード表示手段３３の設定状態の具体例を示すものである。各図において表示手段３３だけをクローズアップして示し、点灯部分を斜線で表している。
【００４１】
まず、（ａ）は電源コードのプラグを初めてコンセントに差し込んだ最初の電源投入時における運転モード表示手段３３の表示の具体例を示すものである。この最初の電源投入時には、運転モード表示手段３３にはどこにも点灯部が無い。時刻表示部３７にも現在時刻が設定されていない。
【００４２】
次に（ｂ）は切替スイッチ２１の内自動スイッチ１９を一度押した状態の具体例を示し、自動モード表示部３５の「自動」と「２０」が点灯している。即ち、自動モードの初期値は設定温度が「２０」度である。尚、時刻表示手段３７には現在時刻「０時００分」が設定された例を示した。
【００４３】
このとき更にもう一度自動スイッチ１９を押すと、（ｃ）に示すように運転モード表示手段３３の自動モード表示部３５の設定温度を示す部分の点灯表示が「２０」から「２２」に切り替わる。更に続けて自動スイッチ１９を押せば点灯表示が「２２」から「２４」に切り替わるものである。この設定温度は自動スイッチ１９を押す毎に順次左から右方向にずれ「２４」の次は「１８」に戻って引き続き同様の変化をするようにしてある。尚、時刻表示部３７には現在時刻「０時００分」が設定された例を示した。
【００４４】
この後、連続スイッチ２０を一度だけ押すと、運転モード表示手段３３における自動モード表示部３５の点灯部が消え、連続モード表示部３６の「連続」と「微弱」が点灯する。即ち、連続モードの初期値は設定燃焼量が「微弱」である。尚、時刻表示部３７には現在時刻「０時００分」が設定された例を示した。
【００４５】
そして更にもう一度連続スイッチ２０を押すと、（ｅ）に示すように連続モード表示部３６の「連続」と「弱」が点灯する。即ち、連続モード表示部３６の設定燃焼量を示す部分の点灯表示が「微弱」から「弱」に切り替わる。更に続けて連続スイッチ２０を押せば点灯表示が「弱」から「中」に切り替わるものである。この設定燃焼量は連続スイッチ２０を押す毎に、自動モードと同様に順次左から右方向にずれ「強」の次は「微弱」に戻って引き続き同様の変化をするようにしてある。尚、時刻表示部３７には現在時刻「０時００分」が設定された例を示した。
【００４６】
【発明の効果】
請求項１に記載の温風暖房機によれば、最初の電源スイッチ投入時は自動モードが優先され、次の電源スイッチ投入時は切替スイッチの設定モードが優先されるので、使用者は毎回動作（運転）モードを調整する必要がなく、しかも切替スイッチの自動スイッチを操作すれば自動モード表示部に自動モードである旨及び設定温度が表示され、切替スイッチの連続スイッチを操作すれば連続モード表示部に連続モードである旨及び設定燃焼量が表示されるため、電源スイッチ投入時における前回の設定状態を確認しやすくなり、使用者の操作性が向上する。
【００４７】
請求項２に記載の温風暖房機によれば、タイマー運転開始スイッチの操作に伴うタイマー運転開始時には自動モードで運転が開始されることから、請求項１の効果に加え、運転開始時の人の存否や負荷の大小等に拘わらず設定温度と検出室温との温度差に応じた燃焼量調整が行われ、連続強燃焼による酸素不足（酸欠）を抑制防止でき、温風暖房機としての安全性が向上する。
【００４８】
請求項３に記載の温風暖房機によれば、通常運転中にのみ切替スイッチによるモード変更が行われるため、不用意なモード変更を抑制できる。
【００４９】
請求項４に記載の温風暖房機によれば、タイマー運転を開始させる時刻を表示するタイマー時刻表示部をアナログ式の丸形表示としたときには、連続モード表示部及び自動モード表示部を共に帯グラフ式の丸形表示としたことにより、操作部若しくは表示部における表示を丸形に統一でき、操作部の操作に伴う時刻及び設定温度若しくは設定燃焼量の変化が時計回り若しくは反時計回りに統一され、操作性及び表示の見やすさが向上する。
【００５０】
請求項５に記載の温風暖房機によれば、タイマー運転を開始させる時刻を表示するタイマー時刻表示部をデジタル式の表示としたときには、連続モード表示部及び自動モード表示部を矩形状の表示としたことにより、表示部における表示を矩形状に統一でき、両表示を上下若しくは左右隣り合わせに配置すれば、表示部の小型化が図れ、表示部が見やすくなる。
【図面の簡単な説明】
【図１】本発明の一実施例を示す石油ファンヒータの全体構成を示す外観斜視図である。
【図２】操作パネルの一実施例（第１の実施形態）を示す平面図である。
【図３】同じく操作パネルの他の実施例（第２の実施形態）を示す平面図である。
【図４】運転モード変更の概略を示す主要なフローチャートである。
【図５】図４のその他の処理に入りタイマー処理時のモード変更の概略を示すフローチャートである。
【図６】図４のその他の処理に入り燃焼モード変更の概略を示すフローチャートである。
【図７】（ａ）乃至（ｅ）は図２に示す操作パネルにおける設定状態の複数の具体例を示す表示部の説明図である。
【図８】（ａ）乃至（ｅ）は図３に示す操作パネルにおける設定状態の複数の具体例を示す表示部の説明図である。
【図９】本発明の制御部の概略のブロック回路図である。
【符号の説明】
１  ファンヒータ（温風暖房機）
４  操作パネル
４Ａ  操作パネル（第１の実施形態）
４Ｂ  操作パネル（第２の実施形態）
Ａ  マイクロコンピュータ（制御手段）
Ｂ  ＥＥＰＲＯＭ（記憶手段）
１１  運転入スイッチ（電源スイッチ）
１３  タイマー運転開始スイッチ
１９  自動スイッチ
２０  連続スイッチ
２１  切替操作手段（切替スイッチ）
２２  燃焼モード表示手段
２６  タイマー時刻表示手段（タイマー時刻表示部）
２８  自動モード表示部
２９  連続モード表示部
３３  燃焼モード表示手段
３５  自動モード表示部
３６  連続モード表示部
３７  時刻表示部
【図１】
0003599910.tif 000002
【図２】
0003599910.tif 000003
【図３】
0003599910.tif 000004
【図４】
0003599910.tif 000005
【図５】
0003599910.tif 000006
【図６】
0003599910.tif 000007
【図７】
0003599910.tif 000008
【図８】
0003599910.tif 000009
【図９】
0003599910.tif 000010